(57)【要約】【課題】２軸ヒンジ機構によってもたらされる様々な使用形態において、良好な通信品質を確保することができる携帯無線装置を提供する。【解決手段】２軸ヒンジ部を有する携帯無線装置１００は、通話状態に適した第１のアンテナ１０２、及び待ち受け状態に適した第２のアンテナ１０４を備えている。第１軸１０６の角度αから判定される開閉検出結果及び第２軸１０７の角度βから判定される開閉検出結果を基に、第１のアンテナ１０２または第２のアンテナ１０４を選択することによって、ユーザの手や指の影響を受けていないアンテナを選択可能になっている。【選択図】図１
2006246535.tif 000002
【特許請求の範囲】
【請求項１】
第１の筐体を第２の筐体に対して開閉かつ回動自在に支持するヒンジ部を有し、前記第１の筐体または前記第２の筐体に設けられたアンテナと内蔵する無線回路との間で給電を行う携帯無線装置であって、
前記ヒンジ部の開閉軸を中心とする前記第１の筐体の開閉状態を検出する開閉検出手段と、
前記ヒンジ部の回動軸を中心とする前記第１の筐体の回動状態を検出する回動検出手段と、
前記開閉状態及び前記回動状態を基に、前記第１の筐体に設けられた第１のアンテナ及び前記第２の筐体に設けられた第２のアンテナの中から作動させるアンテナを選択する選択手段と、
第１の撮像手段と、
を備え、前記第１のアンテナは前記第１の筐体の前記ヒンジ部と反対側端部に設けられ、前記第２のアンテナは前記第２の筐体の前記ヒンジ部側端部に設けられ、
前記第1の撮像手段は、前記第２のアンテナの近傍で、ヒンジ部側面に配置されたことを特徴とすることを特徴とする携帯無線装置。
【請求項２】
第２の撮像手段を前記第１のアンテナの近傍に設けたことを特徴とする請求項１に記載の携帯無線装置。
【請求項３】
前記選択手段は、前記検出された開閉状態が開状態であり、かつ前記検出された回動状態が回動無し状態である場合、前記第１のアンテナを選択し、前記検出された開閉状態が閉状態であり、かつ前記検出された回動状態が回動無し状態である場合、前記第２のアンテナを選択し、前記検出された開閉状態が開状態であり、かつ前記検出された回動状態が回動有り状態である場合、前記第２のアンテナを選択することを特徴とする請求項１または２に記載の携帯無線装置。
【請求項４】
前記第1の撮像手段と前記第2の撮像手段のそれぞれで撮影された画像の輝度を比較する比較手段を備え、
前記選択手段は、前記検出された開閉状態、前記検出された回動状態及び前記比較結果を基に、前記第１のアンテナ及び第２のアンテナの中から作動させるアンテナを選択することを特徴とする請求項１ないし３のいずれか１項に記載の携帯無線装置。
【請求項５】
前記選択手段は、前記第１の撮像手段の輝度が前記第２の撮像手段の輝度より大きい場合、前記第２のアンテナを選択し、前記第１の撮像手段の輝度が前記第２の撮像手段の輝度より小さい場合、前記第１のアンテナを選択することを特徴とする請求項４に記載の携帯無線装置。
【請求項６】
前記選択手段は、前記検出された開閉状態が開状態であり、かつ前記検出された回動状態が回動有り状態である場合において、前記第１の撮像手段の輝度が前記第２の撮像手段の輝度より大きい場合、前記第２のアンテナを選択し、前記第１の撮像手段の輝度が前記第２の撮像手段の輝度より小さい場合、前記第１のアンテナを選択することを特徴とする請求項５に記載の携帯無線装置。
【発明の詳細な説明】
【技術分野】
【０００１】
本発明は、移動体通信などに利用される携帯無線装置に関する。
【背景技術】
【０００２】
従来、携帯無線装置、例えば携帯電話機に用いられるアンテナ装置として、図１１に示すものが知られている。図１１は従来のアンテナ装置が搭載された携帯無線装置の外観を示す図である。この携帯電話装置４００は、ダイバーシチ機能を有するＴＤＭＡ（Time Division Multiple Access ）方式のものである。すなわち、この携帯電話装置４００は、２本のアンテナ４０１、４０２を有し、通信の空き時間を利用してアンテナ４０１、４０２の受信電界強度を比較し、受信電界強度の高い方のアンテナを選択する。
【０００３】
ここで、アンテナ４０１は伸縮式のホイップ・ヘリカルアンテナであり、筐体から引き伸ばした場合、ホイップアンテナとして動作する一方、筐体に収納した場合、ヘリカルアンテナとして動作する。アンテナ４０２は逆Ｆアンテナ等の内蔵アンテナである。
【０００４】
図１２はＣＤＭＡ（Code Division Multiple Access ）方式の携帯無線装置の外観を示す図である。ＣＤＭＡ方式の無線通信はＴＤＭＡ方式の無線通信と異なり、通信動作が連続的に行われるので、つまり無線通信時に空き時間が発生しないので、空き時間を利用した上記ダイバーシチ機能を実現することが困難である。このため、従来のＣＤＭＡ方式の携帯無線装置５００では、アンテナが１本だけ設けられている。なお、図１２では、唯一のアンテナ５０１は伸縮式のホイップ・ヘリカルアンテナであるが、逆Ｆアンテナのような内蔵アンテナでもよい。
【０００５】
しかし、このような１本のアンテナが搭載された携帯無線装置では、手や指でアンテナが押さえられた場合、アンテナの性能が著しく劣化し、通信品質が低下してしまうという問題があった。本発明者等の測定によると、その受信感度は、指や手が触れていない状態と比較し、アンテナ部に指をかけた場合、約５ｄＢ劣化し、アンテナ部を手で握った場合、約１５ｄＢ劣化する。
【０００６】
特に、近年では、デザイン性の向上、ポケット収納時などの利便性の向上を目的として、携帯無線装置の筐体に内蔵するタイプのアンテナが普及している。このような内蔵アンテナでは、外部に突起したアンテナと比較して、アンテナ部が手や指に覆われ易く、上記問題が一層顕著になる。
【０００７】
図１３は内蔵アンテナを有するＣＤＭＡ方式の携帯無線装置の外観を示す図である。このＣＤＭＡ方式の携帯無線装置６００は、上記問題を解決するための折り畳み式携帯無線装置であり、ヒンジ部６０５を中心に回動自在に支持された上側筐体６０１及び下側筐体６０２を有する。上側筐体６０１には、第１のアンテナ６０３が内蔵されている。また、下側筐体６０２には、第２のアンテナ６０４が内蔵されている。この他、携帯無線装置６００には、上側筐体６０１及び下側筐体６０２の開閉状態を検出する開閉検出部６０６（６００ａ，６００ｂ）が設けられている。
【０００８】
図１４は折り畳み式携帯無線装置６００に搭載されたアンテナ装置の構成を示す図である。このアンテナ装置は、前述した第１のアンテナ６０３、第２のアンテナ６０４、切替スイッチ６０８、ＲＦ部（無線回路）６０９、制御部６０７、開閉検出部６０６などから構成される。
【０００９】
一般に、携帯無線装置６００が開いた状態では、通信中である場合が多く、ユーザは下側筐体６０２あるいはヒンジ部６０５を手で握って通信するので、上側筐体６０１の先端部Ｔは、ユーザの手や指が触れられにくい。このため、開閉検出部６０６の検出結果が開いた状態である場合、制御部６０７は第１のアンテナ６０３とＲＦ部６０９とを接続するための制御信号を切替スイッチ６０８に送信し、第１のアンテナ６０３とＲＦ部６０９とを接続する。
【００１０】
ここで、第１のアンテナ６０３は１波長ダイポールアンテナであり、通話状態において良好な通信品質が得られるアンテナである。また、開閉検出部６０６は、上側筐体６０１に設けられた永久磁石６０６ａ、及び下側筐体６０２に設けられた磁力検出器（例えば、ホール素子）６０６ｂから構成される。上側筐体６０１及び下側筐体６０２を閉じた場合、永久磁石６０６ａ及び磁力検出器６０６ｂが近接するので、磁力検出器６０６ｂによって検出される磁力が大きくなる一方、上側筐体６０１及び下側筐体６０２を開いた場合、永久磁石６０６ａ及び磁力検出器６０６ｂが遠ざかるので、磁力検出器６０６ｂによって検出される磁力が小さくなることを利用し、上側筐体６０１及び下側筐体６０２の開閉検出が行われる。なお、開閉検出部には、上側筐体６０１に磁力検出器を設け、下側筐体に永久磁石を設けた構成であってもよい。
【００１１】
携帯無線装置６００が閉じた状態では、待ち受け中である場合が多く、ユーザが手で握った場合、手や指に触れられにくい位置は、ヒンジ部６０５近傍となる。このため、開閉検出部６０６の検出結果が閉じた状態である場合、制御部６０７は第２のアンテナ６０４とＲＦ部６０９を接続するための制御信号を切替スイッチ６０８に送信し、第２のアンテナ６０４とＲＦ部６０９とを接続する。第２のアンテナ６０４は、ＲＦ部６０９が配置されたプリント基板上のグランドパターンからも電波を放射する不平衡給電タイプのアンテナであるので、放射効率が良く、待ち受けに適している。このように、携帯無線装置６００の開閉状態を検出し、検出結果に応じてそれぞれの状態に適したアンテナを選択することで、通信品質を向上させることができる。
【００１２】
また、近年、撮像装置（カメラ）を搭載した携帯無線装置が普及している。このような携帯無線装置の中には、複数のアンテナを搭載し、カメラで携帯無線装置近傍の視覚情報を検知し、この視覚情報から電波伝搬環境を判断してアンテナを選択する携帯無線装置が知られている（例えば、特許文献１参照）。より詳細には、この携帯無線装置は、カメラで撮影された画像を基に、地面からの垂線に対するこの携帯無線装置の角度を算出し、この角度情報に基づき、到来する電波の偏波面と最も良く適合するアンテナを選択することで、良好なアンテナ特性を実現するものである。
【００１３】
また、このような撮影装置を搭載した携帯無線装置の普及に伴い、これまでビデオカメラ等に搭載されていた、２軸のヒンジ機構（例えば、特許文献２参照）を有する携帯無線装置の登場がユーザから要望されている。
【００１４】
図１５は２軸のヒンジ機構を搭載した携帯無線装置の外観を示す図である。この携帯無線装置７００は、２軸ヒンジ部７０１を介して上側筐体７０２及び下側筐体７０３が接続された構造を有する。また、下側筐体７０３には、撮像装置（カメラ）７０４が設置されている。携帯無線装置７００は、電話機能を使用する場合、折り畳み式携帯無線装置６００のように、筐体を開いて使用することができ、撮像装置を使用する場合、画面を見易い位置（撮影状態）に固定して撮影することができ、ユーザの利便性を向上できる。
【００１５】
さらに、複数の撮像装置を搭載した携帯無線装置も登場し始めている。複数の撮像装置を搭載することで、ユーザ自身を撮影する場合と対象物を撮影する場合とで、撮像装置を使い分けることが可能である。
【００１６】
【特許文献１】特開２００１−１０３００２号公報
【特許文献２】特開平１１−２４７８４０号公報
【発明の開示】
【発明が解決しようとする課題】
【００１７】
しかしながら、上記従来の携帯無線装置では、以下に掲げる問題があり、その改善が要望されていた。すなわち、２軸ヒンジ機構を有する携帯無線装置には、折り畳み式携帯無線装置にはあり得ない、２軸ヒンジ機構によってもたらされる様々な使用形態があり、そのような使用形態において、特にＣＤＭＡ方式の携帯無線装置では、常に良好な通信品質を確保することが困難であった。
【００１８】
また、撮像装置を搭載した携帯無線装置では、その近傍の視覚情報を検知してアンテナの切り替え制御を行う際、ユーザの手や指がアンテナに近接した場合、良好な通信品質を確保することが困難であった。
【００１９】
本発明は、上記課題を解決するためになされたもので、その目的は、２軸ヒンジ機構によってもたらされる様々な使用形態において、良好な通信品質を確保することができる携帯無線装置を提供することにある。
【課題を解決するための手段】
【００２０】
本発明の携帯無線装置は、第１の筐体を第２の筐体に対して開閉かつ回動自在に支持するヒンジ部を有し、前記第１の筐体または前記第２の筐体に設けられたアンテナと内蔵する無線回路との間で給電を行う携帯無線装置であって、前記ヒンジ部の開閉軸を中心とする前記第１の筐体の開閉状態を検出する開閉検出手段と、前記ヒンジ部の回動軸を中心とする前記第１の筐体の回動状態を検出する回動検出手段と、前記開閉状態及び前記回動状態を基に、前記第１の筐体に設けられた第１のアンテナ及び前記第２の筐体に設けられた第２のアンテナの中から作動させるアンテナを選択する選択手段と、第１の撮像手段と、を備え、前記第１のアンテナは前記第１の筐体の前記ヒンジ部と反対側端部に設けられ、前記第２のアンテナは前記第２の筐体の前記ヒンジ部側端部に設けられ、前記第1の撮像手段は、前記第２のアンテナの近傍で、ヒンジ部側面に配置されたことを特徴とすることを特徴とする。
【００２１】
この構成により、開閉検出手段及び回動検出手段の検出結果から、使用形態に応じてユーザの手や指の影響を受けていないアンテナを選択することが可能となり、２軸ヒンジ機構によってもたらされる様々な使用形態において、良好な通信品質を確保することができる。また、例えば２つの筐体を折り畳んだ待ち受け状態と２つの筐体を開いた通話状態など、異なる使用形態においてそれぞれユーザの手や指の影響を受けない適切なアンテナを選択することが可能となり、２軸ヒンジ機構によってもたらされる様々な使用形態において、良好な通信品質を確保することができる。また、撮像手段を用いる際には例えば第２の筐体の側面部分を手で持つため、ヒンジ部のアンテナが手で覆われることなく、良好な品質を確保することができる。
【００２２】
また、第２の撮像手段を前記第１のアンテナの近傍に設けたことを特徴とする。
【００２３】
この構成により、例えば２つの筐体を折り畳んだ待ち受け状態と２つの筐体を開いた通話状態、２つの筐体を開いたり回動した撮影状態など、異なる使用形態においてそれぞれユーザの手や指の影響を受けない適切なアンテナを選択することが可能となり、２軸ヒンジ機構によってもたらされる様々な使用形態において、良好な通信品質を確保することができる。
【００２４】
また、前記選択手段は、前記検出された開閉状態が開状態であり、かつ前記検出された回動状態が回動無し状態である場合、前記第１のアンテナを選択し、前記検出された開閉状態が閉状態であり、かつ前記検出された回動状態が回動無し状態である場合、前記第２のアンテナを選択し、前記検出された開閉状態が開状態であり、かつ前記検出された回動状態が回動有り状態である場合、前記第２のアンテナを選択することを特徴とする。
【００２５】
この構成により、２つの筐体の開閉状態が開状態で、かつ回動状態が回動無し状態である場合には第１のアンテナを選択し、２つの筐体の開閉状態が閉状態で、かつ回動状態が回動無し状態である場合、２つの筐体の開閉状態が開状態で、かつ回動状態が回動あり状態である場合には第２のアンテナを選択することで、２つの筐体を開いた通話状態においてユーザの手や指の影響を受けない第１のアンテナと、２つの筐体を折り畳んだ待ち受け状態においてユーザの手や指の影響を受けない第２のアンテナと、２つの筐体を開きかつ筐体を回動した撮影状態においてユーザの手や指の影響を受けない第２のアンテナとを、それぞれ適した使用形態で選択することが可能となる。したがって、２軸ヒンジ機構によってもたらされる様々な使用形態において、良好な通信品質を確保することができる。
【００２６】
また、前記第1の撮像手段と前記第2の撮像手段のそれぞれで撮影された画像の輝度を比較する比較手段を備え、前記選択手段は、前記検出された開閉状態、前記検出された回動状態及び前記比較結果を基に、前記第１のアンテナ及び第２のアンテナの中から作動させるアンテナを選択することを特徴とする。
【００２７】
この構成により、撮像手段が搭載された場合に、開閉検出手段及び回動検出手段の検出結果と複数の撮像手段で撮影された画像の輝度の比較結果とから、使用形態に応じてユーザの手や指の影響を受けていないアンテナを選択することが可能となり、２軸ヒンジ機構によってもたらされる様々な使用形態において、良好な通信品質を確保することができる。
【００２８】
また、前記選択手段は、前記第１の撮像手段の輝度が前記第２の撮像手段の輝度より大きい場合、前記第２のアンテナを選択し、前記第１の撮像手段の輝度が前記第２の撮像手段の輝度より小さい場合、前記第１のアンテナを選択することを特徴とする。
【００２９】
この構成により、撮影した画像の輝度が小さい場合は当該撮像手段の近傍にユーザの手や指が存在すると判断して、ユーザの手や指の影響を受けない適切なアンテナを選択することが可能となり、２軸ヒンジ機構によってもたらされる様々な使用形態において、良好な通信品質を確保することができる。
【００３０】
また、前記選択手段は、前記検出された開閉状態が開状態であり、かつ前記検出された回動状態が回動有り状態である場合において、前記第１の撮像手段の輝度が前記第２の撮像手段の輝度より大きい場合、前記第２のアンテナを選択し、前記第１の撮像手段の輝度が前記第２の撮像手段の輝度より小さい場合、前記第１のアンテナを選択することを特徴とする。
【００３１】
この構成により、２つの筐体の開閉状態が開状態で、かつ回動状態が回動有り状態である場合において、第１の撮像手段の輝度が第２の撮像手段の輝度より大きい場合には第２のアンテナを選択し、第１の撮像手段の輝度が第２の撮像手段の輝度より小さい場合には第１のアンテナを選択することで、２つの筐体を開いて回動させた撮影状態においてユーザの手や指の影響を受けないアンテナを選択することが可能となる。したがって、２軸ヒンジ機構によってもたらされる様々な使用形態において、良好な通信品質を確保することができる。
【発明の効果】
【００３２】
本発明は、２軸ヒンジ機構によってもたらされる様々な使用形態において、良好な通信品質を確保することができる。
【発明を実施するための最良の形態】
【００３３】
以下、図面を参照して本発明の実施形態を説明する。
本実施形態では、ＣＤＭＡ方式の携帯無線装置に適用した場合の構成例を示す。
【００３４】
［第１実施形態］
図１は第１実施形態における携帯無線装置の外観を示す図である。この携帯無線装置１００は、上側筐体１０３を下側筐体１０５に対して開閉かつ回動自在に支持する２軸ヒンジ部１０１を有する。上側筐体１０３の先端部（ヒンジ部１０１と反対側の端部）には、第１のアンテナ１０２が内蔵されている。下側筐体１０５の先端部（ヒンジ部１０１側端部）には、第２のアンテナ１０４が内蔵されている。
【００３５】
図２は２軸ヒンジ部１０１の概略的構造を示す図である。２軸ヒンジ部１０１は、回動部材１０１ａ、支持部材１０１ｂ及び固定部材１０１ｃを主要な部材とするものである。固定部材１０１ｃの両端部は下側筐体１０５に固定されている。支持部材１０１ｂには、開閉軸１０６の軸方向に孔が形成されており、この孔に固定部材１０１ｃが嵌合されている。支持部材１０１ｂは開閉軸１０６を中心に固定部材１０１ｃの周りを回動自在であり、任意の角度で保持される。回動部材１０１ａは、その一端部が上側筐体１０３の端面に固定され、他端部が支持部材１０１ｂの端面に形成された穴に嵌合されており、回動軸１０７を中心に支持部材１０１ｂの周りを回動自在であり、任意の角度で保持される。
【００３６】
このような構造の２軸ヒンジ部１０１では、第１軸（開閉軸）１０６を中心に支持部材１０１ｂが回動して上側筐体１０３を下側筐体１０５に対して開閉し、上側筐体１０３が開かれた状態で、回動部材１０１ａが第２軸（回動軸）１０７を中心に回動自在である。支持部材１０１ｂの可動範囲は第１軸１０６を中心にα＝０°〜１６０°であり、回動部材１０１ａの可動範囲は第２軸１０７を中心にβ＝０°〜９０°である。図１では、α＝９０°かつβ＝９０°の状態が示されている。なお、α＝０°かつβ＝０°の場合、携帯無線装置は折り畳まれた状態となる。
【００３７】
第１のアンテナ１０２は、上側筐体１０３の先端部のスピーカ１０８近傍に内蔵されたダイポールアンテナであり、α＝１６０°かつβ＝０°の状態、つまり携帯無線装置を開いて通話する状態（通話状態）において良好なアンテナ利得を得ることができる。一方、第２のアンテナ１０４は、前述したように、２軸ヒンジ部１０１の近傍に内蔵されたモノポールアンテナであり、α＝０°かつβ＝０°の状態、つまり携帯無線装置を閉じた状態（待ち受け状態）において良好なアンテナ利得を得ることができる。
【００３８】
また、この携帯無線装置１００は、動画像及び静止画像の両方を撮影可能な撮像部１０９、及び撮影開始を指示するスイッチ１１０を有する。撮像部１０９は２軸ヒンジ部１０１近傍の下側筐体１０５の側面に配置されている。スイッチ１１０は撮像部１０９とは反対側の下側筐体１０５の側面に配置されている。
【００３９】
図３はユーザが携帯無線装置１００を手に持って被写体１１１を撮影する様子を示す図である。撮影状態では、ユーザの右手１１２の親指はスイッチ１１０を押さえており、ユーザの左手１１３は上側筐体１０３を保持している。
【００４０】
図４は携帯無線装置１００に搭載されたアンテナ装置の電気的構成を示す図である。このアンテナ装置は、切替部１１７、制御部１１６、無線回路（ＲＦ部）１１８、第１の検出部１１４及び第２の検出部１１５を有する。切替部１１７は高周波スイッチからなり、無線回路１１８と第１のアンテナ１０２あるいは第２のアンテナ１０４との接続を切り替える。ここで、制御部１１６及び切替部１１７は特許請求の範囲に記載の選択手段を構成する。第１の検出部１１４（特許請求の範囲に記載の開閉検出手段に相当）は２軸ヒンジ部１０１の第１軸１０６を中心に回動する上側筐体１０３の開閉状態を検出する。第２の検出部１１５（特許請求の範囲に記載の回動検出手段に相当）は２軸ヒンジ部１０１の第２軸１０７を中心に回動する上側筐体１０３の開閉状態（回動状態）を検出する。
【００４１】
図５は第１の検出部１１４によって検出される角度α及び第２の検出部１１５によって検出される角度βから開閉状態を判定するための閾値となる角度を示すテーブルである。すなわち、第１の検出部１１４によって検出される角度αが１０°〜１６０°である場合、開いていると判定され、それ以外の角度、つまり角度αが０°〜１０°である場合、閉じていると判定される。一方、第２の検出部１１５によって検出される角度βが１０°〜９０°である場合、開いていると判定され、それ以外の角度、つまり角度βが０°〜１０°である場合、閉じていると判定される。
【００４２】
第１の検出部１１４及び第２の検出部１１５はそれぞれ制御部１１６に接続され、開閉検出結果を示す電気信号を制御部１１６に伝達する。制御部１１６は、それぞれの開閉検出結果を基に、第１のアンテナ１０２または第２のアンテナ１０４を選択し、その制御信号を切替部１１７に送信する。切替部１１７は、制御信号にしたがって、無線回路１１８と第１のアンテナ１０２、または無線回路１１８と第２のアンテナ１０４を接続する。
【００４３】
上記構成を有する携帯無線装置１００のアンテナ切替動作を示す。図６は第１の検出部１１４及び第２の検出部１１５の開閉検出結果を基に、制御部１１６によって選択されるアンテナを示すテーブルである。このテーブルは制御部１１６内のＲＯＭに格納されている。図７は第１実施形態におけるアンテナ切替制御処理手順を示すフローチャートである。この処理プログラムは、制御部１１６内のＲＯＭに格納されており、同じく制御部１１６内のＣＰＵによって所定の周期毎に行われる。なお、所定の周期毎に行われる代わりに、第１、第２の検出部による検出結果に変化があった場合、割り込み処理により実行されるようにしてもよい。
【００４４】
まず、第１の検出部１１４及び第２の検出部１１５の開閉検出結果を取得する（ステップＳ１）。図６のテーブルに示す開閉検出結果を判別する（ステップＳ２）。制御部１１６は、第１の検出部１１４の検出結果、上側筐体１０３が第１軸１０６を中心に下側筐体１０５に対して開いた状態であり、かつ第２の検出部１１５の検出結果、上側筐体１０３が第２軸１０７を中心に下側筐体１０５に対して閉じた状態（回動無し状態）である場合、つまり開／閉の場合、携帯無線装置１００が通話状態であると判定し、通話状態に適した第１のアンテナ１０２を選択するために、第１のアンテナを選択するための信号を切替部１１７に送信してアンテナを切り替える（ステップＳ３）。この後、本処理を終了する。
【００４５】
一方、ステップＳ２で、第１の検出部１１４の検出結果、上側筐体１０３が第１軸１０６を中心に下側筐体１０５に対して閉じた状態であり、かつ第２の検出部１１５の検出結果、上側筐体１０３が第２軸１０７を中心に下側筐体１０５に対して閉じた状態（回動無し状態）である場合、つまり閉／閉の場合、携帯無線装置１００が待ち受け状態であると判定し、待ち受け状態に適した第２のアンテナ１０４を選択するために、第２のアンテナを選択するための信号を切替部１１７に送信してアンテナを切り替える（ステップＳ４）。この後、本処理を終了する。
【００４６】
また一方、第１の検出部１１４の検出結果、上側筐体１０３が第１軸１０６を中心に下側筐体１０５に対して開いた状態であり、かつ第２の検出部１１５の検出結果、上側筐体１０３が第２軸１０７を中心に下側筐体１０５に対して開いた状態（回動有り状態）である場合、つまり開／開の場合、携帯無線装置１００が撮影状態であると判定し、撮影状態に適した第２のアンテナ１０４を選択するために、第２のアンテナを選択するための信号を切替部１１７に送信してアンテナを切り替える（ステップＳ４）。この後、本処理を終了する。
【００４７】
なお、本実施形態の携帯無線装置では、構造上、上側筐体１０３が第１軸１０６を中心に下側筐体１０５に対して閉じた状態であり、かつ上側筐体１０３が第２軸１０７を中心に下側筐体１０５に対して開いた状態（回動有り状態）である場合、つまり閉／開の場合というのは、存在しないようになっている。
【００４８】
このように、第１実施形態の携帯無線装置では、通話状態に適した第１のアンテナ１０２、及び待ち受け状態に適した第２のアンテナ１０４を設け、第１軸１０６の角度αから判定される開閉検出結果及び第２軸１０７の角度βから判定される開閉検出結果を基に、第１のアンテナ１０２または第２のアンテナ１０４を選択するので、ユーザの手や指の影響を受けていないアンテナを選択することができる。これにより、２軸ヒンジ機構を有するＣＤＭＡ方式の携帯無線装置の様々な使用形態において良好な通信品質を確保できる。
【００４９】
なお、第１実施形態では、第１のアンテナ１０２はダイポールアンテナであり、第２のアンテナ１０４はモノポールアンテナであったが、特にアンテナの仕様は限定されるものではない。例えば、第１のアンテナ及び第２のアンテナの少なくとも一方を、逆Ｆアンテナやパッチアンテナのような内蔵アンテナにしても、同様の効果を得ることができる。
【００５０】
また、第１実施形態では、２本のアンテナ１０２、１０４のいずれも内蔵アンテナであったが、内蔵アンテナに限定されることなく、例えば、第１のアンテナ及び第２のアンテナの少なくとも一方を、ホイップアンテナやヘリカルアンテナのような外付けアンテナにしても、同様の効果を得ることができる。この場合、外付けアンテナが伸縮性を有するものでも、あるいは有しないものでもよいことは勿論である。
【００５１】
さらに、第１実施形態では、２本のアンテナ１０２、１０４の場合を示したが、アンテナの本数は３本以上であってもよい。また、第１実施形態では、２本のアンテナ１０２、１０４をそれぞれ上下筐体に１本ずつ配置したが、上側筐体１０３にだけ複数本配置してもよいし、下側筐体１０５にだけ複数本配置してもよい。
【００５２】
［第２実施形態］
図８は第２実施形態における携帯無線装置の外観を示す図である。第２実施形態の携帯無線装置は、前記第１実施形態とほぼ同様の構成を有するので、前記第１実施形態と同一の構成要素については同一の符号を付すことによりその説明を省略する。この携帯無線装置２００では、２軸ヒンジ部１０１を介して接続された上側筐体１０３及び下側筐体１０５のそれぞれに撮像部が設けられている。
【００５３】
すなわち、上側筐体１０３に内蔵された第１のアンテナ１０２の近傍には、第１の撮像部２０１が配置され、下側筐体１０５に内蔵された第２のアンテナ１０４の近傍には、第２の撮像部２０２が配置されている。第１の撮像部２０１はユーザが本人を撮影するためのものであり、その撮影方向は図８の矢印ａで示す方向である。一方、第２の撮像部２０２はユーザが対象物を撮影するためのものであり、その撮影方向は前記第１実施形態の図３に示す撮像部１０９の撮影方向と同じである。
【００５４】
図９は携帯無線装置２００に搭載されたアンテナ装置及びカメラ装置の電気的構成を示す図である。アンテナ装置は、前記第１実施形態と同じ構成を有する。一方、カメラ装置は、第１の撮像部（カメラ）２０１、第２の撮像部（カメラ）２０２の他、比較部２０５、第１の輝度検出部２０３及び第２の輝度検出部２０４を有する。第１の輝度検出部２０３は第１の撮像部２０１で撮影された画像全体の第１の平均輝度を算出し、算出された第１の平均輝度を比較部２０５に出力する。第２の輝度検出部２０４は第２の撮像部２０２で撮影された画像全体の第２の平均輝度を算出し、算出された第２の平均輝度を比較部２０５に出力する。比較部２０５は入力した第１及び第２の平均輝度を比較し、その比較結果を制御部１１６に出力する。
【００５５】
上記構成を有する携帯無線装置２００におけるアンテナの切替制御動作を示す。図１０は第２実施形態におけるアンテナ切替制御処理手順を示すフローチャートである。この処理プログラムは、制御部１１６内のＲＯＭに格納されており、同じく制御部１１６内のＣＰＵによって所定の周期毎に行われる。なお、所定の周期毎に行われる代わりに、第１、第２の検出部あるいは第１、第２の輝度検出部の検出結果に変化があった場合、割り込み処理により実行されるようにしてもよい。
【００５６】
まず、第１の検出部１１４及び第２の検出部１１５の開閉検出結果を取得する（ステップＳ１１）。図６のテーブルを参照し、開閉検出結果を判別する（ステップＳ１２）。制御部１１６は、前記第１実施形態と同様、第１の検出部１１４の検出結果、上側筐体１０３が第１軸１０６を中心に下側筐体１０５に対して開いた状態であり、かつ第２の検出部１１５の検出結果、上側筐体１０３が第２軸１０７を中心に下側筐体１０５に対して閉じた状態（回動無し状態）である場合、つまり開／閉の場合、携帯無線装置２００が通話状態であると判定し、第１のアンテナ１０２を選択するために、第１のアンテナ１０２を選択するための信号を切替部１１７に送信する（ステップＳ１３）。
【００５７】
一方、ステップＳ１２で、第１の検出部１１４の検出結果、上側筐体１０３が第１軸１０６を中心に下側筐体１０５に対して閉じた状態であり、かつ第２の検出部１１５の検出結果、上側筐体１０３が第２軸１０７を中心に下側筐体１０５に対して閉じた状態（回動無し状態）である場合、つまり閉／閉の場合、携帯無線装置２００が待ち受け状態であると判定し、第２のアンテナ１０４を選択するために、第２のアンテナ１０４を選択するための信号を切替部１１７に送信する（ステップＳ１４）。
【００５８】
また一方、ステップＳ１２で、第１の検出部１１４の検出結果、上側筐体１０３が第１軸１０６を中心に下側筐体１０５に対して開いた状態であり、かつ第２の検出部１１５の検出結果、上側筐体１０３が第１軸１０６を中心に下側筐体１０５に対して開いた状態（回動有り状態）である場合、つまり開／開の場合、携帯無線装置２００が撮影状態にあると判定し、この場合、さらに比較部２０５の比較結果を取得する（ステップＳ１５）。そして、比較結果、第１の撮像部２０１による第１の平均輝度が第２の撮像部２０２による第２の平均輝度より高いか否かを判別し（ステップＳ１６）、第１の平均輝度が第２の平均輝度より高い場合、第１のアンテナ１０２を選択し（ステップＳ１７）、一方、そうでない場合、第２のアンテナ１０４を選択する（ステップＳ１８）。この後、本処理を終了する。
【００５９】
このように、第２実施形態の携帯無線装置によれば、通話状態では、それに適した第１のアンテナ１０２、及び待ち受け状態では、それに適した第２のアンテナ１０４を選択する他、第１、第２の検出部の検出結果、上側筐体１０３が下側筐体１０５に対して第１軸１０６、第２軸１０７を中心にそれぞれ開いている状態（回動有り状態）の場合、第１の撮像部２０１における第１の平均輝度、及び第２の撮像部２０２における第２の平均輝度の比較結果を基に、第１のアンテナ１０２または第２のアンテナ１０４を選択するので、ユーザが手や指の影響を受けていないアンテナを選択することができる。これにより、２軸ヒンジ機構を有し撮像部を備えたＣＤＭＡ方式の携帯無線装置の様々な使用形態において、良好な通信品質を確保できる。
【００６０】
なお、上記第１、第２実施形態では、ＣＤＭＡ方式の携帯無線装置に適用した場合を示したが、ＴＤＭＡ方式の携帯無線装置に適用してもよいことは勿論である。
【００６１】
また、第２実施形態の２軸ヒンジ機構を有する携帯無線装置では、第１、第２の開閉検出部による開閉検出結果と、第１、第２の輝度検出部による第１、第２の平均輝度の比較結果との両方を用いて、アンテナの選択制御を行っているが、ストレートタイプの携帯無線装置（図１１、図１２参照）や１軸ヒンジ機構を有する携帯無線装置（図１３参照）に適用する場合には、第１、第２の輝度検出部による第１、第２の平均輝度の比較結果だけを用いて、アンテナの選択制御を行うようにしてもよい。
【００６２】
また、第２実施形態では、第１のアンテナ１０２はダイポールアンテナであり、第２のアンテナ１０４はモノポールアンテナであったが、特にアンテナの仕様は限定されるものではない。例えば、第１のアンテナ及び第２のアンテナの少なくとも一方を、逆Ｆアンテナやパッチアンテナのような内蔵アンテナにしても、同様の効果を得ることができる。
【００６３】
また、第２実施形態では、２本のアンテナ１０２、１０４のいずれも内蔵アンテナであったが、内蔵アンテナに限定されることなく、例えば、第１のアンテナ及び第２のアンテナの少なくとも一方を、ホイップアンテナやヘリカルアンテナのような外付けアンテナにしても、同様の効果を得ることができる。この場合、外付けアンテナが伸縮性を有したものでも、あるいは有していないものでもよいことは勿論である。
【００６４】
さらに、第２実施形態では、２本のアンテナ１０２、１０４の場合を示したが、アンテナの本数は３本以上であってもよい。また、第２実施形態では、２本のアンテナ１０２、１０４をそれぞれ上下筐体に１本ずつ配置したが、上側筐体１０３にだけ複数本配置してもよいし、下側筐体１０５にだけ複数本配置してもよい。
【００６５】
上述したように、本実施形態によれば、２軸ヒンジ機構によってもたらされる様々な使用形態において、良好な通信品質を確保することができる。また、撮像装置が搭載された場合に良好な通信品質を確保することができる。
【産業上の利用可能性】
【００６６】
以上説明したように本発明は、２軸ヒンジ機構によってもたらされる様々な使用形態において、良好な通信品質を確保することが可能な携帯無線装置等に有用である。
【図面の簡単な説明】
【００６７】
【図１】本発明の第１実施形態に係る携帯無線装置の外観構成を示す構成説明図
【図２】本実施形態の携帯無線装置における２軸ヒンジ部の概略的構造を示す斜視図
【図３】第１実施形態の携帯無線装置をユーザが手に持って被写体を撮影する様子を示す説明図
【図４】第１実施形態の携帯無線装置に搭載されたアンテナ装置の電気的接続構成を示すブロック図
【図５】第１実施形態において、第１の検出部によって検出される角度α及び第２の検出部によって検出される角度βから開閉状態を判定するための閾値となる角度を示すテーブル
【図６】第１実施形態において、第１の検出部及び第２の検出部の開閉検出結果を基に制御部によって選択されるアンテナを示すテーブル
【図７】本発明の第１実施形態におけるアンテナ切替制御処理手順を示すフローチャート
【図８】本発明の第２実施形態に係る携帯無線装置の外観構成を示す構成説明図
【図９】第２実施形態の携帯無線装置に搭載されたアンテナ装置及びカメラ装置の電気的接続構成を示すブロック図
【図１０】本発明の第２実施形態におけるアンテナ切替制御処理手順を示すフローチャート
【図１１】従来のアンテナ装置が搭載された携帯無線装置の外観を示す斜視図
【図１２】ＣＤＭＡ方式の携帯無線装置の外観を示す斜視図
【図１３】内蔵アンテナを有するＣＤＭＡ方式の携帯無線装置の外観を示す斜視図
【図１４】図１３の折り畳み式携帯無線装置に搭載されたアンテナ装置の構成を示すブロック図
【図１５】２軸のヒンジ機構を搭載した携帯無線装置の外観を示す斜視図
【符号の説明】
【００６８】
１００、２００  携帯無線装置
１０１  ２軸ヒンジ部
１０２  第１のアンテナ
１０３  上側筐体
１０４  第２のアンテナ
１０５  下側筐体
１１４  第１の検出部
１１５  第２の検出部
１１６  制御部
１１７  切替部
２０１  第１の撮像部
２０２  第２の撮像部
２０３  第１の輝度検出部
２０４  第２の輝度検出部
２０５  比較部
【図１】
2006246535.tif 000003
【図２】
2006246535.tif 000004
【図３】
2006246535.tif 000005
【図４】
2006246535.tif 000006
【図５】
2006246535.tif 000007
【図６】
2006246535.tif 000008
【図７】
2006246535.tif 000009
【図８】
2006246535.tif 000010
【図９】
2006246535.tif 000011
【図１０】
2006246535.tif 000012
【図１１】
2006246535.tif 000013
【図１２】
2006246535.tif 000014
【図１３】
2006246535.tif 000015
【図１４】
2006246535.tif 000016
【図１５】
2006246535.tif 000017